(57)【要約】【課題】軽量且つ低コストで耕耘性能及び均平性の良い耕耘装置のリヤカバーを提供する。【解決手段】この発明は耕耘爪１１の上方を覆うメインカバー１４の後方に取付けられ、硬質樹脂により形成されたリヤカバー１６であって、該リヤカバー（１６）の均平面に、耕耘作業時に藁等をすき込む押込部４４を、一体成形により突設したロータリ式耕耘装置のリヤカバーであり、押込部４４には、耕耘作業時に耕耘土の左右移動を規制する整流面４４ｂが形成される。【選択図】図４
2008220200.tif 000002
【特許請求の範囲】
【請求項１】
耕耘爪（１１）の上方を覆うメインカバー（１４）の後方に取付けられ、硬質樹脂により形成されたリヤカバー（１６）であって、該リヤカバー（１６）の均平面に、耕耘作業時に藁等をすき込む押込部（４４）を、一体成形により突設したロータリ式耕耘装置のリヤカバー。
【請求項２】
押込部（４４）に、耕耘作業時に耕耘土の左右移動を規制する整流面（４４ｂ）が形成された請求項１のロータリ式耕耘装置のリヤカバー。
【発明の詳細な説明】
【技術分野】
【０００１】
この発明はロータリ式耕耘装置のリヤカバーに関する。
【背景技術】
【０００２】
従来耕耘作業時に藁屑や雑草等の塵芥をすき込むレーキ等の押込部をリヤカバー内面に突設したものとして特許文献１に示すものが、またリヤカバー自体をプラスチック成形したものとして特許文献２に示すものがそれぞれ公知である。
【特許文献１】特開２００６−２１１９６７号公報
【特許文献２】特開２００４−２２９５７６号公報
【発明の開示】
【発明が解決しようとする課題】
【０００３】
しかし、上記特許文献１の発明のものは、砕土用レーキと塵芥を押込む埋没用レーキの二種類のものを、それぞれリヤカバー内面（下面）に取付けているため、それぞれの取付機構や取付作業が必要となり、さらに耕耘部内に線状又は棒状のものを突設しているために摩耗や変形等に対応するメンテナンス作業時の着脱交換等も必要で、その際の労力も大きいという欠点がある。
【０００４】
また特許文献２のプラスチック製のリヤカバーは軽量化やコストダウン、耕耘土との摩擦が少ない等の利点があるが、内面側に強力な砕土や均平圧を受ける部材を取付けるには強度上も摩擦抵抗の減少を図るという目的上も適さない。
【課題を解決するための手段】
【０００５】
上記課題を解決するための本発明のリヤカバーは第１に耕耘爪１１の上方を覆うメインカバー１４の後方に取付けられ、硬質樹脂により形成されたリヤカバー１６であって、該リヤカバー１６の均平面に、耕耘作業時に藁等をすき込む押込部４４を、一体成形により突設したことを特徴としている。
【０００６】
第２に押込部４４に、耕耘作業時に耕耘土の左右移動を規制する整流面４４ｂが形成されたことを特徴としている。
【発明の効果】
【０００７】
以上のように構成される本発明のロータリ式耕耘装置のリヤカバーによれば、耕耘作業時に藁等をすき込む押込部により、圃場の土塊や切り藁が土中に埋め込まれるため、リヤカバーの整地効率が向上するとともに、一体成形により上記押込部をリヤカバーに突設するため、押込部を備えたリヤカバーの製造が容易になり、製造コストを低く抑えることができる。
【０００８】
また、押込部に、耕耘作業時に耕耘土の左右移動を規制する整流面を形成することにより、ロータリ式耕耘装置による耕耘作業の効率が向上する。
【発明を実施するための最良の形態】
【０００９】
本発明の１実施形態を図面に基づいて説明する。図１，図２は本発明を採用したロータリ式耕耘装置１の側面部分断面図及び平面図であり、トラクタ等の走行車両２の後方に３点リンクヒッチ３を介して昇降自在に連結され、上記走行車両２の走行に伴いロータリ４によって圃場の耕耘作業を行う。
【００１０】
上記ロータリ式耕耘装置１は、走行車両２側よりＰＴＯ動力が入力されるギヤケース６からパイプフレーム７が左右に突出しており、該パイプフレーム７の一方（左）の外端部にチェーンケース８が、他方（右）の外端部にサイドフレーム９がそれぞれ一体的に設けられている。
【００１１】
そして上記サイドフレーム９とチェーンケース８の下部間には、複数の耕耘爪１１が取り付けられた爪軸１２が、チェーンケース８を介してギヤケース６より入力される駆動力によって回転駆動されるように軸支されており、この耕耘爪１１や爪軸１２等によって前述のロータリ４が構成されている。そして爪軸１２の回転駆動によってロータリ４（耕耘爪１１）が回転し、圃場の耕耘作業を行う。
【００１２】
このとき上記ロータリ４は、側面視で耕耘爪１１の先端の回転軌跡に沿った円弧状をなすメインカバー１４によって上方側が、またメインカバー１４の後端側に、上下揺動自在に取り付けられたリヤカバー１６によって後方側がそれぞれ覆われており、メインカバー１４はロータリ４による耕耘土を前方に持ち回り、耕耘時の砕土性を向上させ、リヤカバー１６は、耕耘土に押接して耕耘面の均平を行う。
【００１３】
一方上記ギヤケース６の上方部分にはトップマスト１７が取り付けられており、該トップマスト１７の前方上端側には、走行車両２側の３点リンクヒッチ３側に連結される連結部１８が設けられている。すなわち本ロータリ式耕耘装置１は、上記連結部１８を介して走行車両２に連結される。
【００１４】
またトップマスト１７の後方上端側には、ハンドル１９の回転により伸縮せしめられる伸縮ロッド２０が取り付けられており、該伸縮ロッド２０の伸縮端に、アーム２１を介してギヤケース６側に上下揺動自在に支持されたツールバー２２が連結されている。これによりハンドル１９の回転によってツールバー２２が上下揺動せしめられ、ツールバー２２の高さ及び前後位置が調節され、ツールバー２２に取り付けられる作業機に応じて、ツールバー２２の位置を調節することができる。
【００１５】
上記メインカバー１４は、円弧状の天板２３を母体としており、該天板２３は、内面（下面）に高分子円弧状断面の土付着防止板２７を取り付けた構造となっている。そして上記天板２３の左右両端に設けられた前側板２４の下端部分が、チェーンケース８又はサイドフレーム９側の爪軸１２の軸受部側に前後回動自在に支持されている。
【００１６】
また上記メインカバー１４は、トップマスト１７側に前後揺動自在に設けられたレバー３１にリンクアーム３０を介して上面のブラケット３５で連結されており、これによりレバーの３１前後揺動操作によって、メインカバー１４及びリヤカバー１６を爪軸１２周りに前後回動させ、両カバー１４，１６を耕耘深さに応じた位置に位置調節することができる。
【００１７】
リヤカバー１６とメインカバー１４との間には左右方向のフレーム状の中間カバー３２が介在し、その両端には耕耘部両側を覆う後側端３３が取付けられている。中間カバー３２の後端には軸３４を介して上下揺動可能にリヤカバー１６が連結され、さらに中間カバー３２とリヤカバー１６の上面には左右に振り分け配置された連結ブラケット３６，３７間を加圧スプリング（図示せず）を外装した吊りロッド３８でそれぞれ連結し、ブラケット３６側の連結部で吊りロッド３８の連結位置をスライドさせて多段階又は無段階に調節することにより、揺動位置を調節できる機構となっている。
【００１８】
図３〜図５はリヤカバー１６の構成を示し、リヤカバー１６は側面視で前半部が平板状を、後半部が下向きに山形をなす円弧状に形成され、前端部には軸３４の上面に沿って覆うように半円筒状に湾曲した軸カバー部４１を形成している。
【００１９】
軸３４には下部周面より後向きに突出する取付プレート４２が軸方向に沿って一体的に固着されており、この取付プレート４２がリヤカバー１６の平板状の前端部内面に沿ってビス止め等によって軸３４が着脱可能に取付けられた状態で、カバー部４１内に収容されている。またリヤカバー１６は全体がポリカーボネート等の硬質樹脂によりセンターカバー１６ａとその両側に連接して取付けられるサイドカバー１６ｂとに複数片に分割形成されている。
【００２０】
そして各カバー１６ａ，１６ｂの左右端には、背面（上面）側に突出するようにそれぞれボルト等によって互いに連接接合するための接合リブ４３が、カバーの補強を兼ねて一体的に突設されており、リヤカバー１６は補強リブ４３によって着脱可能に一体接合され、且つ前述した取付プレート４２によっても固定され、全体として左右対称形になっている。
【００２１】
さらに各カバー１６ａ，１６ｂの内面（接地面）の平板状部の後端部から円弧状部の後端部にわたって側面視で下向きに山形のアール（円弧）をなし、前後端がカバー接地面に収束する形状で、リブ状又はプレート状の押込部４４が左右方向の所定ピッチで前後方向に複数個一体的に突出形成されている。押込部４４はプレート状であるため、その左右両側面は耕耘土塊が耕耘時に左右方向に移動するのを防止する整流面４４ｂとして形成される。
【００２２】
図示する例では押込部４４は各カバー１６ａ，１６ｂ共に前述した接合リブ４３を下側に延長させて突出されるほか、センターカバー１６ａには合計５箇所、サイドカバー１６ｂには３箇所それぞれ等間隔に突設されており、各リブ４３には側面視で外周の円弧に沿った弓形の切り抜かれた形の切窓部４４ａが形成されている。
【００２３】
また前記連結ブラケット３６，３７及び吊りロッド３８は、リヤカバー１６の分割面（分割位置）となるセンターカバー１６ａの両端位置のリブ４３上に位置し、リヤカバー１６側の２個のブラケット３７は図２，図５に示すように、上記分割位置で重ね合わされる２つのリブ４３に共締めされて一組ずつ取付けられており、その取付位置は概ねリヤカバー１６の平板状部と円弧状部の境界近傍である。
【００２４】
さらに上記センターカバー１６ａとサイドカバー１６ｂの接合位置の前端及び同位置の取付プレート４２の前端にはリヤカバー組立状態で切窓状に上下に貫通する切欠部４６が形成されている。そして吊りロッド連結用の前側のブラケット３６の下端面に後端が固着されて前端が前方に突出する掬い方向に湾曲した軸受フック４７が、上記切欠部４６を介してカバー上面側から挿入され、中間カバー３２側にリヤカバー軸３４が軸支される。
【００２５】
リヤカバー１６は上記のように分割形成されるので、成形時の金型を小型化できるとともに、サイドカバー１６ｂは左右同形であるため単一の金型を共用できる利点があり、各分割片の幅や接合枚数を増減することにより、ユーザーニーズに応じた耕耘幅の調節を可能にする。接合リブ４３は接合を容易にするだけでなく、リヤカバー全体の補強になる。
【００２６】
押込部４４も補強機能を果たすほか、耕耘作業時に圃場上面側に来る土塊を衝突させ又は押切りによって砕土することにより、圃場上層部を緻密に砕土し、下層に土塊を残して理想的な二層構造の耕耘圃場を形成する。また押込部４４は圃場面に散乱する藁屑や雑草等の塵芥を土中に押込んで肥料化を促進する。
さらに押込部４４は耕耘によって放てきされる土がリヤカバー側方に放出されるのを防止し、耕耘後の圃場面の均平度合を高める。
【図面の簡単な説明】
【００２７】
【図１】ロータリ式耕耘装置の側面部分断面図である。
【図２】ロータリ式耕耘装置の平面図である。
【図３】リヤカバーの分解背面斜視図である。
【図４】中間カバー及びリヤカバーの前方斜視図である。
【図５】中間カバー及びリヤカバーの背面斜視図である。
【符号の説明】
【００２８】
１１  耕耘爪
１４  メインカバー
１６  リヤカバー
４４  押込部
４４ｂ  整流面
【図１】
2008220200.tif 000003
【図２】
2008220200.tif 000004
【図３】
2008220200.tif 000005
【図４】
2008220200.tif 000006
【図５】
2008220200.tif 000007